(57)【要約】【課題】  設置コストが特に高くなるようなことなく、外観が、所望の色や形状，質感になるように設置できる植栽用見切り材を提供する。【解決手段】  植栽用土壌層Ｆの下側に入り込むように設置可能な土壌受け部１と、土壌層の外周に沿って土壌受け部よりも上方に立ち上がるように設置可能な立ち上がり部２とを備えている植栽用見切り材であって、外装部材Ｄを取り付け可能な取付け部３を、立ち上がり部を挟んで土壌受け部の存在側とは逆の部位に備えている。【選択図】        図３
2005224186.tif 000002
【特許請求の範囲】
【請求項１】
植栽用土壌層の下側に入り込むように設置可能な土壌受け部と、前記土壌層の外周に沿って前記土壌受け部よりも上方に立ち上がるように設置可能な立ち上がり部とを備えている植栽用見切り材であって、
外装部材を取り付け可能な取付け部を、前記立ち上がり部を挟んで前記土壌受け部の存在側とは逆の部位に備えている植栽用見切り材。
【請求項２】
前記取付け部が、前記外装部材を上方から嵌め込み可能な嵌合溝を備えている請求項１記載の植栽用見切り材。
【請求項３】
前記嵌合溝の溝幅を調節可能な調節手段を備えている請求項２記載の植栽用見切り材。
【請求項４】
前記外装部材が、レンガ，コンクリートブロック，タイル，木材，石材の中から選ばれる少なくとも一種である請求項１〜３のいずれか１項記載の植栽用見切り材。
【請求項５】
請求項１〜４のいずれか１項記載の植栽用見切り材の設置方法であって、
前記土壌層の下側に敷設される防水シートを、前記立ち上がり部の上側を越えるように延設して、前記取付け部と、その取付け部に取り付ける外装部材との間に挟み込む植栽用見切り材の設置方法。
【発明の詳細な説明】
【技術分野】
【０００１】
本発明は、植栽用土壌層の下側に入り込むように設置可能な土壌受け部と、前記土壌層の外周に沿って前記土壌受け部よりも上方に立ち上がるように設置可能な立ち上がり部とを備えている植栽用見切り材とその設置方法に関する。
【背景技術】
【０００２】
上記植栽用見切り材は、植栽領域を区画するために、例えば植栽領域と非植栽領域との境界に沿って設置され、植栽用土壌層の下側に入り込むように設置してある土壌受け部で、土壌層の外周に沿って土壌受け部よりも上方に立ち上がるように設置した立ち上がり部の倒れを防止できるようにしてある。
従来の植栽用見切り材として、例えば、最下部に設置する下部見切り材に、本体見切り材を所望の段数で積み重ねて組み立てることができるものがあり、形状が同一で色のみが異なる各種の本体見切り材を用意しておいて、所望の色の本体見切り材を所望の段数で積み重ねて、外観に変化を持たせることができるようにしてある（例えば、特許文献１参照）。
【０００３】
【特許文献１】実開昭５２−１３９８４２号公報
【発明の開示】
【発明が解決しようとする課題】
【０００４】
このため、外観が、所望の色だけでなく、所望の形状や質感になるように設置したい場合は、所望の色や形状，質感の植栽用見切り材を入手する必要があが、そのような植栽用見切り材を的確に入手できない結果、外観が、所望の色や形状，質感になるように設置できないおそれがある。
また、各種色や各種形状，各種質感の植栽用見切り材を予め用意して、そのうちから選択して入手できるようにすると、植栽用見切り材の製作コストが高くなり、その結果、設置コストも高くなる欠点がある。
本発明は上記実情に鑑みてなされたものであって、設置コストが特に高くなるようなことなく、外観が、所望の色や形状，質感になるように設置できる植栽用見切り材を提供することを目的とする。
【課題を解決するための手段】
【０００５】
本発明の第１特徴構成は、植栽用土壌層の下側に入り込むように設置可能な土壌受け部と、前記土壌層の外周に沿って前記土壌受け部よりも上方に立ち上がるように設置可能な立ち上がり部とを備えている植栽用見切り材であって、外装部材を取り付け可能な取付け部を、前記立ち上がり部を挟んで前記土壌受け部の存在側とは逆の部位に備えている点にある。
【０００６】
〔作用及び効果〕
外装部材を取り付け可能な取付け部を、立ち上がり部を挟んで土壌受け部の存在側とは逆の部位に備えているので、各種色や各種形状，各種質感の植栽用見切り材を予め用意して、そのうちから選択することなく、所望の色や形状，質感の市販の外装部材を適宜選択して取付け部に取り付けることにより、設置コストが特に高くなるようなことなく、外観が、所望の色や形状，質感になるように設置できる。
【０００７】
本発明の第２特徴構成は、前記取付け部が、前記外装部材を上方から嵌め込み可能な嵌合溝を備えている点にある。
【０００８】
〔作用及び効果〕
取付け部が、外装部材を上方から嵌め込み可能な嵌合溝を備えているので、外装部材の取り付けや取り外しが容易で、外装部材を交換したい場合でも簡便に交換できる。
【０００９】
本発明の第３特徴構成は、前記嵌合溝の溝幅を調節可能な調節手段を備えている点にある。
【００１０】
〔作用及び効果〕
嵌合溝の溝幅を調節可能な調節手段を備えているので、外装部材の厚みに応じて溝幅を調節して、その嵌合溝に外装部材を嵌合できる。
【００１１】
本発明の第４特徴構成は、前記外装部材が、レンガ，コンクリートブロック，タイル，木材，石材の中から選ばれる少なくとも一種である点にある。
【００１２】
〔作用及び効果〕
入手し易く、質感も夫々異なるレンガやコンクリートブロック，タイル，木材，石材の中の少なくとも一種の外装部材を適宜選択して取付け部に取り付けることができる。
【００１３】
本発明の第５特徴構成は、第１〜４特徴構成のいずれかの植栽用見切り材の設置方法であって、前記土壌層の下側に敷設される防水シートを、前記立ち上がり部の上側を越えるように延設して、前記取付け部と、その取付け部に取り付ける外装部材との間に挟み込む点にある。
【００１４】
〔作用及び効果〕
土壌層の下側に敷設される防水シートを、立ち上がり部の上側を越えるように延設して、防水シート上に溜まった水の土壌層外周側への流れ出しを防止できるようにしながら、その防水シートと植栽用見切り材との相対的なずれ動きを防止できるように、防水シートを、取付け部と、その取付け部に取り付ける外装部材との間に挟み込んで、簡便に固定できる。
その結果、防水シート、及び、植栽用見切り材を特別に固定具で固定する必要がなく、簡単に誰でも設置できる。
【発明を実施するための最良の形態】
【００１５】
以下に本発明の実施の形態を図面に基づいて説明する。
〔第１実施形態〕
図１，図２は、図６に示すように植栽領域Ｂを区画するために、植栽領域Ｂと非植栽領域Ｃとの境界に沿って設置する本発明による植栽用見切り材Ａ（Ａ１，Ａ２）を示し、図１は、境界に沿って略直線状に設置するための直線部用見切り材Ａ１を示し、図２は、境界のコーナー部に設置するためのコーナー用見切り材Ａ２を示し、直線部用見切り材Ａ１とコーナー用見切り材Ａ２とを必要に応じて連結して、植栽領域Ｂと非植栽領域Ｃとを一連に区画できるように構成してある。
【００１６】
前記直線部用見切り材Ａ１とコーナー用見切り材Ａ２との各々は、図３にも示すように、植栽用土壌層Ｆの下側に入り込むように設置可能な土壌受け部１と、土壌層Ｆの外周に沿って土壌受け部１よりも上方に立ち上がるように設置可能な立ち上がり部２とを一体に備え、外装部材Ｄを取り付け可能な取付け部３を、立ち上がり部２を挟んで土壌受け部１の存在側とは逆の部位に備えている。
【００１７】
前記直線部用見切り材Ａ１もコーナー用見切り材Ａ２も、土壌受け部１と立ち上がり部２と取付け部３とをメッシュ構造の金属製或いは樹脂製の板材で一体に設けてあり、立ち上がり部２は、板材が下向きＵ字状に屈曲している横断面形状を備え、土壌受け部１は、立ち上がり部下端側の一方側が略水平に屈曲している略扁平に形成してあり、取付け部３は、立ち上がり部下端側の他方側を略水平に屈曲している略扁平な底面部４と、その底面部４の側端部を上方に向けて屈曲している側面部５とを形成して、立ち上がり部２と側面部５との間に、外装部材Ｄを上方から嵌め込み可能な嵌合溝６を設けて構成してある。
【００１８】
前記嵌合溝６は、外装部材Ｄとしてのレンガやコンクリートブロックを上方から嵌め込んで固定できるように、溝幅を外装部材Ｄの厚みと略同じ幅で形成するとともに、外装部材Ｄの上部を立ち上がり部２や側面部５よりも上方に突出させて嵌め込めるように設けて、外観が、所望の色や形状，質感になるように設置できるように構成してある。
【００１９】
尚、嵌合溝６は、タイルや板状木材，板状石材などの外装部材Ｄを上方から嵌め込めるように、溝幅をそれらの外装部材Ｄの厚みと略同じ幅で形成してあってもよい。
また、各種形状の外装部材Ｄや複数の外装部材Ｄを厚み方向に重ねて嵌め込めるように設けてあっても良い。
【００２０】
上記見切り材Ａ（Ａ１，Ａ２）の設置方法を、図４〜図６に示すように、建物屋上を緑化する為に、屋上床面Ｇに芝などを植えてある植栽領域Ｂを設ける場合を例示して説明する。
【００２１】
図４，図５に示すように、植栽領域Ｂの設置予定範囲の略全域に亘って、排水が排水孔Ｈに流れるように水勾配を付けて底部防水シートＥ２（Ｅ）を敷設しておき、植栽領域Ｂと非植栽領域Ｃとの境界に沿って、直線部用見切り材Ａ１とコーナー用見切り材Ａ２とを、土壌受け部１を植栽領域Ｂ側に向けて、パラペットＪとで設置予定範囲を囲むように設置し、隣り合う見切り材Ａ１，Ａ２どうしを適宜の手段で連結しておく。
【００２２】
尚、植栽領域Ｂと非植栽領域Ｃとの境界のうちの、平面視で緩く屈曲している屈曲境界部Ｋは、隣り合う見切り材Ａ１，Ａ２どうしを、屈曲境界部Ｋに沿うように相対位置を適宜ずらして連結しておく。
【００２３】
次に、周部防水シートＥ１（Ｅ）を底部防水シートＥ２の上に重ねるとともに、その周部防水シートＥ１を立ち上がり部２の上側を越えるように延設し、その外周縁部を嵌合溝６に沿うように入り込ませて、クリップなどで側面部５に固定しておく。
【００２４】
そして、図６にも示すように、排水性を確保できるように軽量土壌Ｆ１を敷き均すとともに、その軽量土壌Ｆ１に、芝を培養土に育成してある苗床（尊農社緑地株式会社製  商品名：ソンノーターフ）Ｆ２を載せて植栽用土壌層Ｆを設け、周部防水シートＥ１の外周縁部が下側に回り込むように外装部材Ｄを嵌合溝６に上方から嵌め込んで、その外周縁部を、取付け部３と、その取付け部３に取り付けた外装部材Ｄとの間に挟み込んで固定し、外周部にパラペットＪを設けてある屋上床面Ｇの角部を囲むように区画して、芝などを植えてある植栽領域Ｂを設ける。
【００２５】
〔第２実施形態〕
図７は、本発明による植栽用見切り材Ａの別実施形態を示し、土壌受け部１と立ち上がり部２とをメッシュ構造の金属製或いは樹脂製の板材で一体に設けてある横断面形状がＬ字状の見切り材本体７と、底面部４と側面部５とをメッシュ構造の金属製或いは樹脂製の板材で一体に設けてある横断面形状がＬ字状の取付け部８とを別々に設け、雌ねじ孔９を備えた複数の固定用板材１０を底面部４に固定してある。
【００２６】
そして、図８に示すように、土壌受け部１のメッシュ孔１１を適宜選択し、その選択したメッシュ孔１１を通してビス１２を雌ねじ孔９に螺合して、見切り材本体７と取付け部８とを一体に固定することにより、嵌合溝６の溝幅を調節可能な調節手段１３を構成し、嵌合溝６の溝幅を調節することにより、種々の厚みの外装部材Ｄを嵌合溝６に嵌め込んで、外観が、所望の色や形状，質感になるように設置できるように構成してある。
その他の構成は第１実施形態と同様である。
【００２７】
〔その他の実施形態〕
１．本発明による植栽用見切り材は、外装部材をビスなどで立ち上がり部に固定して取り付け可能な取付け部を備えていても良い。
２．本発明による植栽用見切り材は、植栽領域を種類の異なる植物毎の領域や、植栽領域を植栽面の高さが異なる領域に区画する為に設置するものであってもよい。
３．本発明による植栽用見切り材は、金属や樹脂の他、コンクリートやセラミックなどで形成してあっても良い。
４．本発明による植栽用見切り材は、各種色や各種形状，各種質感の外装部材が混在するように取付け部に取り付けて設置するものであっても良い。
５．本発明による植栽用見切り材は、建物屋上の緑化用だけでなく、公園や庭などに設置するものであっても良い。
【図面の簡単な説明】
【００２８】
【図１】植栽用（直線部用）見切り材の平面図
【図２】植栽用（コーナー用）見切り材の平面図
【図３】図１，図２のIII−III線断面図
【図４】植栽用見切り材の設置方法を説明する平面図
【図５】植栽用見切り材の設置方法を説明する斜視図
【図６】植栽用見切り材の設置方法を説明する断面図
【図７】第２実施形態を示す分解斜視図
【図８】第２実施形態を示す断面図
【符号の説明】
【００２９】
１    土壌受け部
２    立ち上がり部
３    取付け部
６    嵌合溝
１３  調節手段
Ｄ    外装部材
Ｅ    防水シート
Ｆ    土壌層
【図１】
2005224186.tif 000003
【図２】
2005224186.tif 000004
【図３】
2005224186.tif 000005
【図４】
2005224186.tif 000006
【図５】
2005224186.tif 000007
【図６】
2005224186.tif 000008
【図７】
2005224186.tif 000009
【図８】
2005224186.tif 000010